(57)【要約】【課題】紙幣通過センサの誤配線の検出および修正作業が容易となり、作業ミスの低減、作業時間の短縮を図る。【解決手段】紙幣搬送経路の上流から下流に亘る複数の箇所で投入される紙幣を受け入れて最下流に位置する紙幣金庫へ搬送する紙幣搬送経路上の複数の箇所に、複数の紙幣通過センサ４４が設置される。表示部１４は、複数の紙幣通過センサに割り当てられた順序性のあるセンサ識別情報を表示可能である。制御部１２は、テストモードにおいて、紙幣搬送動作の開始を指示し、紙幣搬送経路の最上流にある紙幣通過センサの上流側からテスト紙幣が投入された後、逐次、テスト紙幣を検出した紙幣通過センサのセンサ識別情報、または、そのセンサ識別情報に一定の関係で関係付けられた識別情報を表示するよう表示部１４の表示を更新する。【選択図】図１
2018063654.tif 000002
【特許請求の範囲】
【請求項１】
紙幣搬送経路の上流から下流に亘る複数の箇所で投入される紙幣を受け入れて最下流に位置する紙幣金庫へ搬送する紙幣搬送手段と、
前記紙幣搬送経路上の複数の箇所に設置され、通過する紙幣を検出する複数の紙幣通過センサと、
前記複数の紙幣通過センサに割り当てられた順序性のあるセンサ識別情報を表示可能な表示部と、
前記紙幣搬送手段による紙幣搬送動作の開始および停止を指示するとともに、前記複数の紙幣通過センサの検出信号を受信し、どの紙幣通過センサが紙幣を検出したかを識別する機能を有する制御部とを備え、
前記制御部は、テストモードにおいて、前記紙幣搬送手段へ紙幣搬送動作の開始を指示し、前記紙幣搬送経路の最上流にある紙幣通過センサの上流側からテスト紙幣が投入された後、逐次、テスト紙幣を検出した紙幣通過センサのセンサ識別情報、または、そのセンサ識別情報に一定の関係で関係付けられた識別情報を表示するよう前記表示部の表示を更新する
ことを特徴とする紙幣搬送システム。
【請求項２】
前記制御部は、前記テストモードにおいて、テスト紙幣を検出したと自身が認識した紙幣通過センサの検出順が紙幣通過センサの配置順と異なるかどうかを判定し、異なると判定したとき前記紙幣搬送手段の紙幣搬送動作の停止を指示することを特徴とする請求項１に記載の紙幣搬送システム。
【請求項３】
前記制御部は、前記テストモードにおいて、次にテスト紙幣を検出すると自身が予期している紙幣通過センサ以外の紙幣通過センサがテスト紙幣を検出したとき、前記紙幣搬送手段の紙幣搬送動作の停止を指示することを特徴とする請求項１または２に記載の紙幣搬送システム。
【請求項４】
前記複数の紙幣通過センサは信号中継コントローラを介して前記制御部へ接続され、前記信号中継コントローラは複数の紙幣通過センサを接続することができる複数の端子を有し、前記制御部は各紙幣通過センサが前記信号中継コントローラのどの端子に接続されているかによって当該紙幣通過センサを識別する請求項１、２または３に記載の紙幣搬送システム。
【請求項５】
紙幣搬送経路の上流から下流に亘る複数の箇所で投入される紙幣を受け入れて最下流に位置する紙幣金庫へ搬送する紙幣搬送システムのテストモードにおいて、前記紙幣搬送経路上の複数の箇所に設置され、順序性のあるセンサ識別情報が割り当てられた複数の紙幣通過センサの誤配線を制御部が検出する方法であって、
紙幣搬送動作の開始を指示するステップと、
前記紙幣搬送経路の最上流にある紙幣通過センサの上流側からテスト紙幣が投入された後、逐次、テスト紙幣を検出した紙幣通過センサのセンサ識別情報、または、そのセンサ識別情報に一定の関係で関係付けられた識別情報を表示するよう表示部の表示を更新するステップと
を備えた紙幣搬送システムのセンサ誤配線検出方法。
【請求項６】
前記制御部が、テスト紙幣を検出したと自身が認識した紙幣通過センサの検出順が紙幣通過センサの配置順と異なるかどうかを判定するステップと、
異なると判定したとき紙幣搬送動作の停止を指示するステップと
を更に備えた請求項５に記載の紙幣搬送システムのセンサ誤配線検出方法。
【請求項７】
次にテスト紙幣を検出すると前記制御部が予期している紙幣通過センサ以外の紙幣通過センサがテスト紙幣を検出したとき、前記制御部が紙幣搬送動作の停止を指示するステップを更に備えた請求項５または６に記載の紙幣搬送システムのセンサ誤配線検出方法。
【発明の詳細な説明】
【技術分野】
【０００１】
本発明は、紙幣搬送経路の上流から下流に亘る複数の箇所で投入される紙幣を受け入れて最下流に位置する紙幣金庫へ搬送する紙幣搬送システムおよびそのセンサ誤配線検出方法に関する。
【背景技術】
【０００２】
パチンコ等の遊技場において、いわゆる島を構成するよう配置された複数台の遊技機の各々に並設された台間機は遊技媒体貸機の機能を有する。遊技客が遊技媒体貸機に挿入した紙幣は、島の長手方向に沿って配置された紙幣搬送システムにより、島端部の回収庫（紙幣金庫）まで搬送され、その中に収納されるようになっている（特許文献１参照）。
【０００３】
紙幣搬送システムの紙幣搬送路には、一般に、紙幣通過やジャム障害を検出するために紙幣通過センサが設置されている。
【先行技術文献】
【特許文献】
【０００４】
【特許文献１】特開２０１２−２５４１７１号公報
【発明の概要】
【発明が解決しようとする課題】
【０００５】
通常、遊技場の各島には数十台の遊技機が配列されており、設置される紙幣通過センサの個数も多数となる。島の個数が多ければ、なおさらである。そのため、紙幣通過センサの設置工事においては、接続確認、特に誤配線発生時の不具合個所特定と修正・再確認の時間が掛かり、結果的に設置コストがかさむという実情がある。
【０００６】
実際上、紙幣通過センサの誤配線（誤設置を含む）は、センサ自体が正常に動作していれば気づき難く、営業開始後にジャム障害等が発生して初めて発覚することがある。
【０００７】
本発明はこのような背景においてなされたものであり、その目的は、紙幣通過センサの誤配線の検出および修正作業が容易となり、作業ミスの低減、作業時間の短縮を図ることができる紙幣搬送システムおよびそのセンサ誤配線検出方法を提供することにある。
【課題を解決するための手段】
【０００８】
上記課題を解決するために、本発明による紙幣搬送システムは、紙幣搬送経路の上流から下流に亘る複数の箇所で投入される紙幣を受け入れて最下流に位置する紙幣金庫へ搬送する紙幣搬送手段と、前記紙幣搬送経路上の複数の箇所に設置され、通過する紙幣を検出する複数の紙幣通過センサと、前記複数の紙幣通過センサに割り当てられた順序性のあるセンサ識別情報を表示可能な表示部と、前記紙幣搬送手段による紙幣搬送動作の開始および停止を指示するとともに、前記複数の紙幣通過センサの検出信号を受信し、どの紙幣通過センサが紙幣を検出したかを識別する機能を有する制御部とを備え、前記制御部は、テストモードにおいて、前記紙幣搬送手段へ紙幣搬送動作の開始を指示し、前記紙幣搬送経路の最上流にある紙幣通過センサの上流側からテスト紙幣が投入された後、逐次、テスト紙幣を検出した紙幣通過センサのセンサ識別情報、または、そのセンサ識別情報に一定の関係で関係付けられた識別情報を表示するよう前記表示部の表示を更新することを特徴とする。
【０００９】
この構成において、テストモード時に紙幣搬送経路の最上流にある紙幣通過センサの上流側からテスト紙幣が投入された後、制御部が、逐次、テスト紙幣を検出した紙幣通過センサのセンサ識別情報、または、そのセンサ識別情報に一定の関係で関係付けられた識別情報を表示する。複数の紙幣通過センサには順序性のあるセンサ識別情報が割り当てられているので、紙幣通過センサの誤配線がない場合には、表示部の表示は順序性をもって更新される。この順序性に乱れが生じた場合には、紙幣通過センサの誤配線が存在することになる。したがって、テストモード時の表示部の表示を監視することにより紙幣通過センサの誤配線の存在が検出される。
【００１０】
本発明の一態様として、前記制御部は、前記テストモードにおいて、テスト紙幣を検出したと自身が認識した紙幣通過センサの検出順が紙幣通過センサの配置順と異なるかどうかを判定し、異なると判定したとき前記紙幣搬送手段の紙幣搬送動作の停止を指示することができる。搬送が停止されたときに停止した表示部の表示を確認すれば、その表示されたセンサ識別情報に基づいて、当該誤配線の可能性のある紙幣通過センサが認識される。また、テスト紙幣の停止位置付近の紙幣通過センサに対する配線が誤っていると推測される。
【００１１】
より具体的には、前記制御部は、前記テストモードにおいて、次にテスト紙幣を検出すると自身が予期している紙幣通過センサ以外の紙幣通過センサがテスト紙幣を検出したとき、前記紙幣搬送手段の紙幣搬送動作の停止を指示することができる。
【００１２】
本発明の他の態様として、前記複数の紙幣通過センサは信号中継コントローラを介して前記制御部へ接続され、前記信号中継コントローラは複数の紙幣通過センサを接続することができる複数の端子を有し、前記制御部は各紙幣通過センサが前記信号中継コントローラのどの端子に接続されているかによって当該紙幣通過センサを識別することができる。
【００１３】
本発明による紙幣搬送システムのセンサ誤配線検出方法は、紙幣搬送経路の上流から下流に亘る複数の箇所で投入される紙幣を受け入れて最下流に位置する紙幣金庫へ搬送する紙幣搬送システムのテストモードにおいて、前記紙幣搬送経路上の複数の箇所に設置され、順序性のあるセンサ識別情報が割り当てられた複数の紙幣通過センサの誤配線を制御部が検出する方法であって、紙幣搬送動作の開始を指示するステップと、前記紙幣搬送経路の最上流にある紙幣通過センサの上流側からテスト紙幣が投入された後、逐次、テスト紙幣を検出した紙幣通過センサのセンサ識別情報、または、そのセンサ識別情報に一定の関係で関係付けられた識別情報を表示するよう表示部の表示を更新するステップとを備えたことを特徴とする。
【００１４】
本発明の他の構成および作用効果については以下の発明の詳細な説明において説明される。
【発明の効果】
【００１５】
本発明によれば、紙幣通過センサの誤配線の検出および修正作業が容易となり、作業ミスの低減、作業時間の短縮を図ることができる。
【００１６】
特に、テストモードにおいて、テスト紙幣を検出したと自身が認識した紙幣通過センサの検出順が紙幣通過センサの配置順と異なると判定したとき紙幣搬送動作を停止させる実施形態によれば、停止した表示部の表示を確認することにより、その表示されたセンサ識別情報に基づいて、当該誤配線の可能性のある紙幣通過センサが認識され、その位置の特定も容易となる。
【図面の簡単な説明】
【００１７】
【図１】遊技場の島に設置された本発明の実施形態による紙幣搬送システムの概略構成を示す図である。
【図２】本発明の実施形態の紙幣搬送システムにおける制御ボックスと紙幣通過センサとの間の接続構成を示す図である。
【図３】本発明の実施形態における信号中継コントローラの識別情報（Ａｄｄｒｅｓｓ）とその４つのセンサ接続端子（金庫側端子Ａ，Ｂと島端側端子Ａ，Ｂ）の組み合わせに対して、センサ識別情報として、紙幣通過センサの配置順に合わせた連番のセンサ番号が割り当てられる対応関係を示す図である。
【図４】本発明の実施形態における紙幣搬送システムのテストモードでの概略動作を説明するための図である。
【図５】本発明の実施形態における紙幣搬送システムのテストモードで、センサ誤配線がある場合の動作例を説明するための図である。
【図６】本発明の実施形態における紙幣搬送システムのテストモードで、センサ誤配線がある場合の他の動作例を説明するための図である。
【図７】図４に示した動作例の第１の変形例を説明するための図である。
【図８】図４に示した動作例の第２の変形例を説明するための図である。
【図９】本発明の実施形態における制御部が実行するテストモードの概略の処理手順を表したフローチャートである。
【図１０】図９に示した処理手順の変形例を示すフローチャートである。
【図１１】図１０のフローチャートのより具体的な処理手順を示すフローチャートである。
【発明を実施するための形態】
【００１８】
以下、本発明の実施の形態について図面を参照しながら詳細に説明する。
【００１９】
（紙幣搬送システムの構成）
図１は、遊技場の島に設置された本実施形態による紙幣搬送システムの概略構成を示す図である。
【００２０】
パチンコ、パチスロ等の遊技場において、島は、一定間隔で配置された複数台の遊技機を有する。一般に、１つの島において、複数台の遊技機の列が２列、背中合わせに配置されている。各遊技機の隣には台間機が並設されている。台間機は紙幣の挿入を受け付けて遊技媒体を発行する遊技媒体貸機の機能を有する。
【００２１】
紙幣搬送カセット５０は、本発明における紙幣搬送手段を構成し、遊技機の背後に島の長手方向に沿って配置され、紙幣搬送経路の上流から下流に亘る複数の箇所で投入される紙幣を受け入れて最下流に位置する紙幣金庫１０まで搬送する。遊技客が台間機の紙幣挿入口に挿入した紙幣は、紙幣搬送カセット５０により、島の一端に配置された紙幣金庫１０まで搬送され、その中の紙幣収納箱１３内に収納されるようになっている。単位長の紙幣搬送カセット５０を任意個数直列に接続して用いることにより、所望の長さの紙幣搬送路が実現される。
【００２２】
紙幣搬送カセット５０は、台間機に挿入された紙幣を、後段の紙幣取込機構２２経由で、紙幣搬送路内に取り込む。通常、台間機に挿入された紙幣は、紙幣取込機構２２に対向する位置で紙幣搬送カセット５０に設けられた開口（例えば図示しないスリット）に挿入され、紙幣搬送カセット５０内部のベルトとローラにより内部に取り込まれる。この例では、紙幣搬送カセット５０は、駆動モータ５６により回転駆動される無端のベルト（平ベルト）５３とこのベルトを支持するローラ５２と、ベルトに対向する一連のアイドルローラ（図示せず）とを有する。特に図示しないが、紙幣搬送カセット５０の紙幣搬送路は、ジャム障害の対処や保守時のために取り外し可能なカバーで覆われる。
【００２３】
各台間機の紙幣取込機構２２は、台間機に挿入された紙幣を、紙幣搬送カセット５０に対してその搬送方向に沿う方向に傾けて挿入することにより、紙幣を紙幣搬送カセット５０へ円滑かつ確実に受け渡す。背中合わせの遊技機の一方の列（Ａ面）と他方の列（Ｂ面）でベルトの走行方向が逆になるので、紙幣の傾斜方向も逆になっている。
【００２４】
紙幣金庫１０内には、このシステムを制御するための制御ボックス１２が配置されている。制御ボックス１２は、本発明の制御部（コンピュータ等を含みうる制御回路）を構成し、システムの状態等を表示するための表示部１４を有している。本実施形態では、この表示部１４が、後述するテストモードにおいて紙幣通過センサ４４のセンサ番号（センサ識別情報）を表示する表示手段として用いられる。この例では、表示部１４は２桁の７セグメント表示器を用いているが、他の表示器、例えば液晶表示器であってもよい。
【００２５】
各台間機の紙幣挿入口に挿入された紙幣は、紙幣識別機（図示せず）を通過した後、紙幣取込機構２２に取り込まれ、紙幣搬送カセット５０へ送り込まれる。
【００２６】
なお、本発明における紙幣搬送手段はその具体的な構成を限定するものではなく、台間機に挿入された紙幣が、搬送されて紙幣金庫１０へ受け渡される形態であれば足りる。
【００２７】
紙幣搬送経路上の複数の箇所、例えば台間機の１台毎または複数台毎に、複数の紙幣通過センサ４４が設置される。図示の例では台間機の１台毎に紙幣通過センサ４４を設けている。なお、本発明において、紙幣通過センサ４４は典型的には光学的なセンサを用いることができるが、その具体的な構成や検出原理は特に限定するものではなく、通過する紙幣を検出できる任意の既存のセンサを利用可能である。
【００２８】
（制御ボックス１２と紙幣通過センサ４４との間の接続構成）
図２に、本実施形態の紙幣搬送システムにおける制御ボックス１２と紙幣通過センサ４４との間の接続構成を示す。
【００２９】
制御ボックス１２は信号インタフェース１５を介して信号中継コントローラ４０と通信可能に接続される。信号中継コントローラ４０は、制御ボックス１２（制御部）と、複数の紙幣通過センサ４４や図示しない台間機や遊技機との中継インタフェースをとるための装置であり、信号インタフェース４５を介して他の信号中継コントローラ４０に接続される。このように本実施形態では、制御ボックス１２はいわゆるデイジーチェーン形式で複数の信号中継コントローラ４０に接続される。但し、接続形式はデイジーチェーン形式に限るものではない。信号中継コントローラ４０の必要な個数は、信号中継コントローラ４０の１個当たりの、紙幣通過センサ４４を接続するセンサ接続端子４２の個数、および、使用する紙幣通過センサ４４の個数に応じて決まる。
【００３０】
この例では、信号中継コントローラ４０は、４個の紙幣通過センサ４４を接続するセンサ接続端子４２を有する。各センサ接続端子４２は、複数本のワイヤを含むワイヤハーネス４１を介して、対応する紙幣通過センサ４４に例えばコネクタ等の接続手段を介して接続される。
【００３１】
制御ボックス１２（制御部）は、紙幣搬送手段としての紙幣搬送カセット５０による紙幣搬送動作の開始および停止を指示するとともに、信号中継コントローラ４０を介して複数の紙幣通過センサ４４の検出信号を受信し、どの紙幣通過センサ４４が紙幣を検出したかを識別する機能を有する。紙幣通過センサ４４の識別情報は、本実施形態では紙幣搬送経路の下流から上流へ向かって増加する連番のセンサ番号を採用している。図２の例では簡単化のため、紙幣通過センサ４４の総数は８個とし、そのセンサ番号はＮｏ．１、Ｎｏ．２、Ｎｏ．３、…、Ｎｏ．８としている。
【００３２】
本実施形態では、複数の紙幣通過センサ４４は信号中継コントローラ４０を介して制御ボックス１２（制御部）へ接続される。制御部は各紙幣通過センサ４４がどの信号中継コントローラ４０のどのセンサ接続端子４２に接続されているかによって当該紙幣通過センサ４４を識別することができる。本実施形態の例では、図３に示すように、各信号中継コントローラ４０の識別情報（Ａｄｄｒｅｓｓ）とその４つのセンサ接続端子４２（金庫側端子Ａ，Ｂと島端側端子Ａ，Ｂ）の組み合わせに対して、センサ識別情報として、紙幣通過センサ４４の配置順に合わせた連番のセンサ番号が割り当てられる。
【００３３】
図３の例では、信号中継コントローラ４０の識別情報（Ａｄｄｒｅｓｓ）は最も紙幣金庫１０に近いものにＡｄｄｒｅｓｓ１が割り当てられ、島端側へ向かって１ずつ増加していく。使用する紙幣通過センサ４４の総数はＮ個としている。
【００３４】
ここに、各信号中継コントローラ４０の端子Ａ，Ｂは、当該端子に接続される紙幣通過センサ４４が、１つの島の背中合わせに配置される遊技機のＡ面およびＢ面のいずれの列に配置されるかを示している。「金庫側」と「島端側」は、二つの端子Ａのうち金庫側の端子Ａに接続される紙幣通過センサ４４が金庫側に配置され、島端側の端子Ａに接続される紙幣通過センサ４４が島端側に配置されることを意味している。二つの端子Ｂについても同様である。
【００３５】
（テストモードでの概略動作）
図４により、本実施形態における紙幣搬送システムのテストモードでの概略動作を説明する。この例では便宜上、紙幣通過センサ４４の総数が８個の場合を示している。実際にはさらに多数の紙幣通過センサ４４が使用される。
【００３６】
制御部は、テストモードにおいて、紙幣搬送手段である紙幣搬送カセット５０へ紙幣搬送動作の開始を指示する。これにより、駆動モータ５６の回転駆動が開始される。紙幣搬送経路の最上流にある紙幣通過センサ４４の上流側からテスト紙幣５９が投入された後、このテスト紙幣５９は複数の紙幣搬送カセット５０で定まる搬送経路に沿って、最下流の紙幣金庫１０まで搬送される。この際に使用する「テスト紙幣」は本物の紙幣であってもよいし、本物の紙幣に代わる模擬紙幣であってもよい。
【００３７】
テスト紙幣５９が紙幣搬送経路を搬送されていく際、搬送経路上のあらかじめ定められた位置に設置された複数の紙幣通過センサ４４をそれらの設置順に通過していく。搬送されていくテスト紙幣を紙幣通過センサ４４が検出したとき、その検出信号は当該信号中継コントローラ４０で認識される。そこで、この信号中継コントローラ４０は、自身の識別情報と当該検出信号を発生した紙幣通過センサ４４が接続されている端子情報を直ちに制御部へ通知する。制御部は、それらの情報に基づいて、当該テスト紙幣の通過を検出した紙幣通過センサ４４に割り当てられたセンサ識別情報（センサ番号）を認識し、そのセンサ識別情報、または、そのセンサ識別情報に関係付けられた識別情報を表示部１４にリアルタイムに表示させる。ここでいう「そのセンサ識別情報に一定の関係で関係付けられた識別情報」とは、テスト紙幣の通過を検出した紙幣通過センサ４４に割り当てられたセンサ識別情報そのものではなく、そのセンサ識別情報と一定の関係を有するセンサ識別情報である。例えば、センサ識別情報がセンサ番号である場合に、認識されたセンサ番号の次に認識されると予期されるセンサ番号である。
【００３８】
図４に示した例では、表示部１４に表示するセンサ識別情報の初期値として、表示部１４に紙幣通過センサ４４の総数を表示し、いずれかの紙幣通過センサ４４がテスト紙幣を検出する度に、表示部１４の表示が更新されていく。図４の例では、表示部１４に表示するセンサ識別情報は、認識されたセンサ番号の次に認識されると予期されるセンサ番号である。すなわち、テスト紙幣を検出した紙幣通過センサ４４に割り当てられたセンサ番号ｐの値から１減じたｐ−１の値を表示している。
【００３９】
一方、制御部は、紙幣通過センサ４４の総数Ｎから、いずれかの紙幣通過センサ４４の検出信号が発生する度に１だけカウントダウンしていくことにより、紙幣通過センサ４４の通過数を確認する。カウントダウンにより得られる数値は連番となり、この数値は紙幣通過センサ４４の配置順をあらわす。
【００４０】
このカウントダウンにより得られる数値は、すべての紙幣通過センサ４４が正しく配線されている場合（センサ誤配線の無い場合）、表示部１４に更新表示される値と一致する。すなわち、テストモード時に表示部１４に表示される数値は紙幣通過センサ４４の総数を初期値として、順次１だけ減少していき最終的に０となるよう更新されていく。図４の例では、搬送経路の周囲に示すように、表示部１４は、センサ総数０８を初期値として、テスト紙幣５９が各紙幣通過センサ４４を通過する毎に、センサ識別情報０７，０６，０５，０４，０３，０２，０１を経て、００にまで、１ずつ減少していくよう更新表示される。
【００４１】
このような表示部１４における数値の更新表示は表示部１４が７セグメント表示器である場合に好適である。上述したように表示部１４が液晶表示器のようにある程度のサイズの表示画面を有する場合には、既に表示したセンサ識別情報を消去することなく、新たなセンサ識別情報を追加表示していく表示更新方法も採用可能である。また、数値以外のセンサ識別情報の表示も可能である。
【００４２】
（センサ誤配線がある場合）
いずれかの紙幣通過センサ４４が正しく配線されていない場合（すなわちセンサ誤配線がある場合）であっても、上流側からテスト紙幣が搬送されていく際、複数の紙幣通過センサ４４は、搬送経路に沿ってその配置順にテスト紙幣を検出していくことになる。しかし、テスト紙幣を検出したと制御部が認識する複数の紙幣通過センサ４４の識別情報（センサ番号）は、実際にテスト紙幣を検出した物理的な各紙幣通過センサ４４によって定まるのではなく、その物理的な紙幣通過センサ４４がどの信号中継コントローラ４０のどのセンサ接続端子４２に接続されているかによって定まる。
【００４３】
したがって、テストモード時における表示部１４の表示は、その誤配線のあった紙幣通過センサ４４をテスト紙幣が通過する際、次にテスト紙幣を検出すると制御部が予期している紙幣通過センサ以外の紙幣通過センサ４４がテスト紙幣を検出することになる。その結果、制御部がその通過を検出したと認識した紙幣通過センサ４４のセンサ識別情報は本来あるべきセンサ識別情報と異なるため、表示部１４に表示されるセンサ識別情報（センサ番号）の連続性（順次性）が崩れる。ここに連続性とは、更新時の増減方向が変化せず、かつ、増減量が一定であることである。
【００４４】
例えば、図２に示した制御ボックス１２と紙幣通過センサ４４との間の接続構成において、センサ番号Ｎｏ．５とＮｏ．６が割り当てられるべき２つの紙幣通過センサ４４への配線が誤って入れ替わった場合を考える。センサ番号Ｎｏ．５とＮｏ．６が割り当てられるべき紙幣通過センサ４４には、同じＡｄｄｒ＝２の信号中継コントローラ４０の金庫側の端子Ａと島端側の端子Ａが接続されるが、例えば両端子の配線を取り違えた場合にセンサ誤配線が発生する。この場合、図５に示すように、センサ番号Ｎｏ．６が本来割り当てられるべき紙幣通過センサ４４の設置位置をテスト紙幣が通過した時点で、制御部はセンサ番号Ｎｏ．５の紙幣通過センサ４４がテスト紙幣を検出したと認識する。図２（および後続の同様の図）に示した各紙幣通過センサ４４に破線で関連付けて示した番号”Ｎｏ．”の値はその紙幣通過センサ４４に実際に割り当てられたセンサ番号を示している。このような誤配線の結果、本来のセンサ番号Ｎｏ．６の位置に設置された紙幣通過センサ４４に誤配線がなされたために、制御部はこの紙幣通過センサ４４のセンサ番号をＮｏ．５と誤認する。表示部１４に表示するセンサ識別情報として、この紙幣通過センサ４４がテスト紙幣を検出したとき、正常であればセンサ番号ｐ（Ｎｏ．６）の値”０６”から１減じたｐ−１の値”０５”を表示すべきところ、センサ番号ｐ（Ｎｏ．５）の値”０５”から１減じたｐ−１の値”０４”を表示してしまう。
【００４５】
ついで、センサ番号Ｎｏ．５が本来割り当てられるべき紙幣通過センサ４４の設置位置をテスト紙幣が通過した時点で、制御部はセンサ番号Ｎｏ．６のセンサがテスト紙幣を検出したと認識する。その結果、表示部１４に表示するセンサ識別情報として、センサ番号ｐ（Ｎｏ．５）の値”０５”から１減じたｐ−１の値”０４”を表示すべきところ、センサ番号ｐ（Ｎｏ．６）の値”０６”から１減じたｐ−１の値”０５”を表示してしまう。
【００４６】
このように隣接したセンサ間のセンサ誤配線に伴って、表示部１４に表示されるセンサ番号の連続性に乱れが生じる。対処法としては、最初にセンサ番号の連続性の乱れが生じたセンサ番号に基づいて、誤配線の生じている紙幣通過センサ４４を特定することができる。例えば、図５の例では、表示部１４の表示が”０６”から”０４”に変化した時点でセンサ番号の連続性の乱れが生じたと判断できる。そこで、この誤配線の可能性のある紙幣通過センサ４４は、センサ番号ｐ”０４”に１を加えたセンサ番号Ｎｏ．５と特定できるので、センサ番号Ｎｏ．５の信号中継コントローラ４０の当該端子関連部位をチェックすればよい。本来センサＮｏ．５の紙幣通過センサ４４が割り当てられるべき端子にセンサ番号Ｎｏ．６の紙幣通過センサ４４へ繋がるワイヤハーネス４１が接続されていれば、センサ番号Ｎｏ．６の紙幣通過センサ４４に割り当てられるべき端子との間でのワイヤハーネス４１の入れ替わりが疑われることになる。誤配線を正した後、再度、テストモードを実行し、正しいセンサ番号の表示順が確認できれば、修正作業が首尾良く行われたことが確認できる。
【００４７】
図６は、図２に示した制御ボックス１２と紙幣通過センサ４４との間の接続構成において、センサ番号Ｎｏ．３とＮｏ．６の紙幣通過センサ４４が割り当てられるべき２つの紙幣通過センサ４４への配線が誤って入れ替わった場合の表示部１４の表示遷移を示している。本来のセンサ番号Ｎｏ．３とＮｏ．６の紙幣通過センサ４４には同じＡｄｄｒ＝２の信号中継コントローラ４０の金庫側の隣接する端子Ａ，Ｂが割り当てられるが、両配線を取り違えた場合にこのセンサ誤配線が発生する。
【００４８】
この場合、図６に示すように、センサ番号Ｎｏ．６が本来割り当てられるべき紙幣通過センサ４４の設置位置をテスト紙幣が通過した時点で、制御部はセンサ番号Ｎｏ．３のセンサがテスト紙幣を検出したと認識する。その結果、このとき表示部１４に表示するセンサ識別情報として、センサ番号ｐ（Ｎｏ．６）の値”０６”から１減じたｐ−１の値”０５”を表示すべきところ、センサ番号ｐ（Ｎｏ．３）の値”０３”から１減じたｐ−１の値”０２”を表示してしまう。
【００４９】
ついで、センサ番号Ｎｏ．３が本来割り当てられるべき紙幣通過センサ４４の設置位置をテスト紙幣が通過した時点で、制御部はセンサ番号Ｎｏ．６のセンサがテスト紙幣を検出したと認識する。その結果、表示部１４に表示するセンサ識別情報として、センサ番号ｐ（Ｎｏ．３）の値”０３”から１減じたｐ−１の値”０２”を表示すべきところ、センサ番号ｐ（Ｎｏ．６）の値”０６”から１減じたｐ−１の値”０５”を表示してしまう。
【００５０】
このように非隣接の紙幣通過センサ４４間のセンサ誤配線の場合にも、表示部１４に表示されるセンサ番号の連続性に乱れが生じる。対処法としては、やはり、最初にセンサ番号の連続性の乱れが生じたセンサ識別情報に基づいて、誤配線の生じている紙幣通過センサ４４を特定することができる。例えば、図６の例では、表示部１４の表示が”０６”から”０２”に変化した時点でセンサ番号の連続性の乱れが生じたと判断できる。そこで、この誤配線の可能性のある紙幣通過センサ４４は、センサ番号ｐ”０２”に１を加えたセンサ番号Ｎｏ．３と特定できるので、センサ番号Ｎｏ．３の信号中継コントローラ４０の当該端子関連部位をチェックすればよい。センサ番号Ｎｏ．３の紙幣通過センサ４４に繋がるワイヤハーネス４１が接続されるべき端子にセンサ番号Ｎｏ．６の紙幣通過センサ４４に繋がるワイヤハーネス４１が接続されていれば、センサ番号Ｎｏ．６の紙幣通過センサ４４に接続されるべき端子との間でのワイヤハーネス４１の入れ替わりが疑われることになる。誤配線を正した後、再度、テストモードを実行し、正しいセンサ番号の表示順が確認できれば、修正作業が首尾良く行われたことが確認できる。
【００５１】
（第１の変形例）
上述したテストモードでは、表示部１４に表示されるセンサ番号の連続性に乱れがある場合もない場合も、テスト紙幣をその搬送を途中で停止することなく、紙幣金庫１０まで搬送するようにした。これに対して、図７に示すように、テストモード時にテスト紙幣の搬送動作を開始した後、表示部１４に表示されるセンサ番号の連続性に乱れが最初に検出された時点で、紙幣搬送動作の停止を指示するようにしてもよい。これに伴い、表示部１４の表示の更新は停止する（最後の表示内容が維持される）。この第１の変形例においても、上記と同様に表示部１４に表示されるセンサ番号の連続性の乱れに応じて、どの紙幣通過センサ４４への誤配線かを推測することができる。
【００５２】
３つ以上の紙幣通過センサ４４に関連した複雑な誤配線の場合には、一度の配線の入れ替え修正で、すべての誤配線を修正しきれない場合もありうる。そのような場合には、修正とその後のテストモード再実行により、対応が可能である。
【００５３】
この第１の変形例における利点は、誤配線が検出された時点で表示部１４の表示が停止するので、テストモードの開始から終了まで表示部１４を監視し続ける必要がないことである。すなわち、搬送が停止されたときに表示部１４の表示を確認し、その表示されたセンサ識別情報に基づいて、当該誤配線の可能性のある紙幣通過センサ４４を認識することができる。また、他の利点は、テスト紙幣は搬送途中で停止しており、少なくともその停止位置付近（例えばその上流の直近）の紙幣通過センサ４４に対する配線が誤っていると推測できることである。
【００５４】
（第２の変形例）
上述した図４の例では、表示部１４に表示するセンサ識別情報として、テスト紙幣を検出した紙幣通過センサ４４に割り当てられたセンサ番号ｐの値から１減じたｐ−１の値を表示した。これに代えて、テスト紙幣５９を検出した紙幣通過センサ４４のセンサ番号ｐそのものの値を表示するようにしてもよい。この場合、図８に示すように、表示部１４に表示されるセンサ識別情報としてのセンサ番号は図４の場合と比べて”１”だけ増加して見える。この第２の変形例では、表示されたセンサ識別情報の数値とテスト紙幣が通過した紙幣通過センサ４４（テスト紙幣を検出したセンサ）とが一致するので分りやすい。ただし、図４の場合のように初期値を紙幣通過センサ４４の総数Ｎとすると、正常時に最初の（最上流の）紙幣通過センサ４４によるテスト紙幣の検出時に表示が変化しないことになる。そこで、最初の紙幣通過センサ４４の通過が分かるように、表示部１４の初期表示は”０”としている。初期表示は”０”に限るものではなく、センサ番号としてあり得ない数値や記号でもよい。また、この第２の変形例においても、第１の変形例と同様に、テストモード時にテスト紙幣の搬送動作を開始した後、表示部１４に表示されるセンサ番号の連続性に乱れが最初に検出された時点で、紙幣搬送動作の停止を指示することが可能である。
【００５５】
（テストモードの処理手順）
図９に、本実施形態における制御部が実行するテストモードの概略の処理手順を表したフローチャートを示す。
【００５６】
制御部はテストモードの開始時に、駆動モータ５６の回転駆動の開始を指示し、紙幣搬送カセット５０による紙幣搬送動作を開始する（Ｓ１）。そこで、テスト担当者が最上流の台間機からテスト紙幣を投入する。
【００５７】
制御部は、いずれかの紙幣通過センサ４４がテスト紙幣を検出したか否かを監視する（Ｓ２）。いずれかの紙幣通過センサ４４がテスト紙幣を検出したとき、そのテスト紙幣を検出した紙幣通過センサ４４に割り当てられたセンサ識別情報（センサ番号ｐ）を特定する（Ｓ３）。この特定は、図３に示した関係に基づいて制御部が行うことができる。
【００５８】
そこで、制御部は、このテスト紙幣を検出した紙幣通過センサ４４に一定の関係で関係付けられたセンサ識別情報を表示するよう、表示部１４の表示を更新する（Ｓ４）。図４の例では、表示部１４に表示するセンサ識別情報として、テスト紙幣を検出した紙幣通過センサ４４に割り当てられたセンサ番号ｐの値から１減じたｐ−１の値を表示する。
【００５９】
すべての紙幣通過センサ４４がテスト紙幣を検出するまで、ステップＳ２へ戻って上記のステップを繰り返す（Ｓ５）。
【００６０】
すべての紙幣通過センサ４４がテスト紙幣を検出したら、駆動モータ５６の回転駆動の停止を指定し、紙幣搬送動作を停止させる（Ｓ６）。
【００６１】
なお、ステップＳ４において、第２の変形例のように、ある時点で表示部１４に表示するセンサ識別情報として、次にテスト紙幣５９を検出した紙幣通過センサ４４のセンサ番号ｐそのものの値を表示するようにしてもよい。
【００６２】
（テストモードの処理手順の変形例）
図１０に、図９に示した処理手順の変形例を示す。この変形例は、上述した第１の変形例に相当している。図１０において、図９に示したステップと同様のステップには同じ参照符号を付して、重複した説明は省略する。
【００６３】
図１０において図９と異なる点は、ステップＳ４ａを追加したことである。
【００６４】
ステップＳ４ａでは、ステップＳ４に続き、テスト紙幣を検出したと制御部が認識した紙幣通過センサ４４の検出順が紙幣通過センサ４４の配置順と異なるかどうかを判定する。この判定は、上記のとおり、制御部が認識したセンサ番号の連続性の乱れを検出することに相当する。ステップＳ４ａの判定結果がＹｅｓであれば、駆動モータ５６の回転駆動の停止を指定し、紙幣搬送動作を停止させる（Ｓ６）。
【００６５】
なお、ステップＳ４において、図８に示した第２の変形例のように、表示部１４に表示するセンサ識別情報として、ｐ−１の値を表示することに代えて、テスト紙幣５９を検出した紙幣通過センサ４４のセンサ番号ｐそのものの値を表示するようにしてもよい。
【００６６】
（テストモードのより具体的な処理手順）
図１１は、図１０に示した処理手順と基本的に同じ処理を実現するものであるが、認識したセンサ番号の連続性の乱れを検出するための、より具体的な処理手順を示している。
【００６７】
テストモードの開始時、制御部は、まず、すべての信号中継コントローラ４０を介して接続している紙幣通過センサ４４の総数Ｎを確認する（Ｓ１０）。この確認は、信号中継コントローラ４０とのやりとりによって行うことが可能である。
【００６８】
ついで、この確認された総数Ｎを変数ｉに代入する（Ｓ１１）。そこで、紙幣搬送動作を開始するとともに（Ｓ１２）、表示部１４に変数ｉの値を表示させる（Ｓ１３）。この場合、値Ｎが表示される。
【００６９】
その後、制御部は、いずれかの紙幣通過センサ４４がテスト紙幣を検出したか否かを監視する（Ｓ１４）。
【００７０】
テスト紙幣が検出された場合、テスト紙幣を検出した紙幣通過センサ４４のセンサ番号ｐを特定し（Ｓ１５）、表示部１４にｐ−１の値を表示する（Ｓ１６）。このセンサ番号ｐの特定は、図３に示した関係に基づいて制御部が行うことができる。
【００７１】
そこで、制御部は、得られたセンサ番号ｐと現時点の変数ｉの値が一致するかどうかをチェックする（Ｓ１７）。これは、ステップＳ４ａにおける、テスト紙幣を検出したと制御部が認識した紙幣通過センサ４４の検出順が紙幣通過センサ４４の配置順と異なるかどうかを判定する処理に対応する。
【００７２】
センサ番号ｐと現時点の変数ｉの値が一致した場合、制御部は、変数ｉの値をカウントダウンする（１だけ減ずる）（Ｓ１８）。そこで、変数ｉが０に達したかをチェックする（Ｓ１９）。このステップは、すべての紙幣通過センサ４４がテスト紙幣を検出したかどうかをチェックすることに相当する。否であれば、ステップＳ１４へ戻って上記のステップを繰り返す。
【００７３】
すべての紙幣通過センサ４４がテスト紙幣を検出したら（Ｓ１９，Ｙｅｓ）、駆動モータ５６の回転駆動の停止を指定し、紙幣搬送動作を停止させる（Ｓ２０）。
【００７４】
ステップＳ１７において、得られたセンサ番号ｐと現時点の変数ｉの値が一致しなかった場合、制御部が認識したセンサ番号ｐの連続性の乱れが発生したと判断し、ステップＳ２０へ移行して紙幣搬送を停止する。表示部１４の表示は更新することなくそのまま維持する。
【００７５】
なお、図８に示した第２の変形例のように、ステップＳ１６で表示部１４に表示するセンサ識別情報として、ｐ−１の値を表示することに代えて、テスト紙幣５９を検出した紙幣通過センサ４４のセンサ番号ｐそのものの値を表示するようにしてもよい。その場合、ステップＳ１３において初期表示する値は例えば０とする。
【００７６】
（その他の変形例）   以上、本発明の好適な実施の形態について説明したが、上記で言及した以外にも種々の変形、変更を行うことが可能である。
【００７７】
例えば、テストモード時の紙幣搬送方向は、センサ番号をカウントダウンする方向としたが、カウントアップする方向としてもよい。
【符号の説明】
【００７８】
１０：紙幣金庫  １２：制御ボックス（制御部）  １３：紙幣収納箱  １４：表示部  １５：信号インタフェース  ２２：紙幣取込機構  ４０：信号中継コントローラ  ４１：ワイヤハーネス  ４２：センサ接続端子  ４４：紙幣通過センサ  ４５：信号インタフェース  ５０：紙幣搬送カセット  ５２：ローラ  ５６：駆動モータ  ５９：テスト紙幣
【図１】
2018063654.tif 000003
【図２】
2018063654.tif 000004
【図３】
2018063654.tif 000005
【図４】
2018063654.tif 000006
【図５】
2018063654.tif 000007
【図６】
2018063654.tif 000008
【図７】
2018063654.tif 000009
【図８】
2018063654.tif 000010
【図９】
2018063654.tif 000011
【図１０】
2018063654.tif 000012
【図１１】
2018063654.tif 000013